(57)【要約】【課題】安価な構成で、省エネを行うことができる家庭用省電力システムを提供する。【解決手段】人の在及び不在を検知する不在センサ端末機器２０１と、接続された電気機器２０３の電源入切の制御を行う制御手段２０６を有する電源入切機器アダプタ２０２と、不在センサ端末機器２０１に内蔵され電源入切機器アダプタ２０２と無線で通信を行う第１の無線送受信手段２０４と、電源入切機器アダプタ２０２に内蔵され不在センサ端末機器２０１と無線で通信を行う第２の無線送受信手段２０５とを備え、不在センサ端末機器２０１が、人の不在を検知すると第１の無線送受信手段２０４で電源入切機器アダプタ２０２に送信し、それを第２の無線送受信手段２０５で受信して、制御手段２０６により、電気機器２０３の電源を切るようにしたもので、一元管理された情報を発信する高価な通信装置を介することなく、人が不在の時に、電気機器２０３の電源を切ることができる。【選択図】図１
2007124078.tif 000002
【特許請求の範囲】
【請求項１】
人の在及び不在を検知する不在センサ端末機器と、電気機器が接続されると共にその電気機器の電源入切の制御を行う制御手段を有する電源入切機器アダプタと、前記不在センサ端末機器に内蔵され前記電源入切機器アダプタと無線で通信を行う第１の無線送受信手段と、前記電源入切機器アダプタに内蔵され前記不在センサ端末機器と無線で通信を行う第２の無線送受信手段とを備え、前記不在センサ端末機器が、人の不在を検知すると前記第１の無線送受信手段で前記電源入切機器アダプタに送信し、それを前記第２の無線送受信手段で受信して、前記制御手段により、前記電気機器への電源を切るようにした家庭用省電力システム。
【請求項２】
不在センサ端末機器に、第１の無線送受信手段から発信される電波の発信電力を調整する電力調整手段を備えた請求項１に記載の家庭用省電力システム。
【請求項３】
留守状態を設定する留守設定機能を有する留守設定端末機器と、電気機器が接続されると共にその電気機器の電源入切の制御を行う制御手段を有する電源入切機器アダプタと、前記留守設定端末機器に内蔵され前記電源入切機器アダプタと無線で通信を行う第３の無線送受信手段と、前記電源入切機器アダプタに内蔵され前記留守設定端末機器と無線で通信を行う第４の無線送受信手段とを備え、人が留守の時に、前記留守設定端末機器が、留守の信号を前記第３の無線送受信手段で前記電源入切機器アダプタに送信し、それを前記第４の無線送受信手段で受信して、前記制御手段により前記電気機器への電源を切るように制御する家庭用省電力システム。
【請求項４】
インターネットや携帯電話等の家庭外へ接続する家庭外接続機器と、電気機器が接続される電源入切機器アダプタと、前記家庭外接続機器に設けられ前記電源入切機器アダプタと無線で通信を行う第５の無線送受信手段と、前記電源入切機器アダプタに設けられ前記家庭外接続機器と無線で通信を行う第６の無線送受信手段と、前記電源入切機器アダプタに設けられ前記家庭外接続機器からの情報により前記電気機器の電源の入切を制御する制御手段とを備えた家庭用省電力システム。
【請求項５】
電気機器の使用した電力量を表示する電力量表示端末機器と、前記電気機器が接続されると共に前記電気機器の電源入切の機能を有する電源入切機器アダプタと、前記電力量表示端末機器に内蔵され前記電源入切機器アダプタと無線で通信を行う第７の無線送受信手段と、前記電源入切機器アダプタに内蔵され前記電力量表示端末機器と無線で通信を行う第８の無線送受信手段と、前記電源入切機器アダプタに内蔵され前記電気機器の電力消費量を定期的に測定する電力量測定手段とを備え、前記電力量表示端末機器に表示された前記電力量を参考に必要に応じて、前記第７の無線送受信手段より前記第８の無線送受信手段に送信して、前記電気機器の電源の入り切りができるようにした家庭用省電力システム。
【請求項６】
人の在、不在を検知すると共に第１の無線送受信手段と第９の無線送受信手段を内蔵した不在センサ端末機器と、パソコンが接続されると共に前記第１の無線送受信手段と無線で交信する第２の無線送受信手段と前記パソコンの電源入切の制御を行う制御手段を有する電源入切機器アダプタと、前記パソコンをシャットダウンすると共に前記第９の無線送受信手段と無線で交信する第１０の無線送受信手段を内蔵したパソコン用機器アダプタとを備え、前記不在センサ端末機器が人の不在の検知した時に、前記パソコンをシャットダウンした後、前記制御手段で前記パソコンの電源を切るように制御する家庭用省電力システム。
【請求項７】
人の在、不在を検知する不在センサ端末機器と、エアコンが接続されると共に外部から前記エアコンの空調温度の制御ができるエアコン用機器アダプタと、前記不在センサ端末機器に内蔵され前記エアコン用機器アダプタと無線で通信を行う第１１の無線送受信手段と、前記エアコン用機器アダプタに内蔵され前記不在センサ端末機器と無線で通信を行う第１２の無線送受信手段と、前記エアコンの空調温度の制御を行う温度制御手段とを備えた家庭用省電力システム。
【請求項８】
室内の明るさを検知する照度センサ端末機器と、照明器具が接続されると共に前記照明器具の電源入切を制御する制御手段を有する電源入切機器アダプタと、前記照度センサ端末機器に内蔵され前記電源入切機器アダプタと無線で通信を行う第１３の無線送受信手段と、前記電源入切機器アダプタに内蔵され前記照度センサ端末機器と無線で通信を行う第１４の無線送受信手段を備えた家庭用省電力システム。
【発明の詳細な説明】
【技術分野】
【０００１】
本発明は、家庭における電気機器の消費電力を低減する家庭用省電力システムに関するものである。
【背景技術】
【０００２】
従来のこの種の家庭用省電力システムとして、遠隔操作可能な電気機器を省エネモードへ移行させるための制御情報を一元管理し、適宜制御情報を電気機器へ提供するようにしたものがある（例えば、特許文献１参照）。
【０００３】
図９は、前記特許文献１に記載された従来の家庭用省電力システムを示すもので、人の在、不在を検知する不在センサ端末機器１０５から、人が不在である旨の不在情報が、通信装置１０１に入力されると、通信装置１０１から、電気機器であるエアコン１０２、電気温水器１０３、電気暖房器１０４に、個々の電源を切るなどの省エネ設定情報を送信し、それらの電源を切ることにより省エネを図るようにしている。
【特許文献１】特開２００４−３０４２７９号公報（図１）
【発明の開示】
【発明が解決しようとする課題】
【０００４】
しかしながら、前記従来の家庭用省電力システムの構成では、ネットワークを介して遠隔操作可能な電気器具を省エネモードへ移行させるため制御情報を一元管理し、適宜制御情報を電気機器へ提供するようにしていたので、電気機器の省エネ制御は、一元管理された情報を発信する通信装置を介する必要があり、高価になるという課題を有していた。
【０００５】
本発明は、前記従来の課題を解決するもので、一元管理された情報を発信する通信装置を介する必要がなく、端末機器の情報があるだけで、電気機器を動かして省エネをおこなうことができる安価な家庭用省電力システムを提供することを目的とする。
【課題を解決するための手段】
【０００６】
前記従来の課題を解決するために、本発明の家庭用省電力システムは、人の在及び不在を検知する不在センサ端末機器と、電気機器が接続されると共にその電気機器の電源入切の制御を行う制御手段を有する電源入切機器アダプタと、前記不在センサ端末機器に内蔵され前記電源入切機器アダプタと無線で通信を行う第１の無線送受信手段と、前記電源入切機器アダプタに内蔵され前記不在センサ端末機器と無線で通信を行う第２の無線送受信手段とを備え、前記不在センサ端末機器が、人の不在を検知すると前記第１の無線送受信手段で前記電源入切機器アダプタに送信し、それを前記第２の無線送受信手段で受信して、前記制御手段により、前記電気機器への電源を切るようにしたもので、一元管理された情報を発信する通信装置を介することなく、人が不在の時に、電気機器の電源を切り確実に省エネを行うことができる。
【０００７】
又、本発明の家庭用省電力システムは、留守状態を設定する留守設定機能を有する留守設定端末機器と、電気機器が接続されると共にその電気機器の電源入切の制御を行う制御手段を有する電源入切機器アダプタと、前記留守設定端末機器に内蔵され前記電源入切機器アダプタと無線で通信を行う第３の無線送受信手段と、前記電源入切機器アダプタに内蔵され前記留守設定端末機器と無線で通信を行う第４の無線送受信手段とを備え、人が留守の時に、前記留守設定端末機器が、留守の信号を前記第３の無線送受信手段で前記電源入切機器アダプタに送信し、それを前記第４の無線送受信手段で受信して、前記制御手段により前記電気機器への電源を切るように制御するもので、人間が家を留守にするときに、電気機器への電源を切ることで、確実に省エネを図ることができる。
【０００８】
又、本発明の家庭用省電力システムは、インターネットや携帯電話等の家庭外へ接続する家庭外接続機器と、電気機器が接続される電源入切機器アダプタと、前記家庭外接続機器に設けられ前記電源入切機器アダプタと無線で通信を行う第５の無線送受信手段と、前記電源入切機器アダプタに設けられ前記家庭外接続機器と無線で通信を行う第６の無線送受信手段と、前記電源入切機器アダプタに設けられ前記家庭外接続機器からの情報により前記電気機器の電源の入切を制御する制御手段とを備えたもので、家庭外から携帯電話等で家庭内の電気機器の電源を必要に応じて入り切りすることで、確実に省エネを図ることができる。
【０００９】
又、本発明の家庭用省電力システムは、電気機器の使用した電力量を表示する電力量表示端末機器と、前記電気機器が接続されると共に前記電気機器の電源入切の機能を有する電源入切機器アダプタと、前記電力量表示端末機器に内蔵され前記電源入切機器アダプタと無線で通信を行う第７の無線送受信手段と、前記電源入切機器アダプタに内蔵され前記電力量表示端末機器と無線で通信を行う第８の無線送受信手段と、前記電源入切機器アダプタに内蔵され前記電気機器の電力消費量を定期的に測定する電力量測定手段とを備え、前記電力量表示端末機器に表示された前記電力量を参考に必要に応じて、前記第７の無線送受信手段より前記第８の無線送受信手段に送信して、前記電気機器の電源の入り切りができるようにしたもので、例えば、電力量表示端末機器に表示された電力量が予想以上に多い場合は、第７の無線送受信手段より第８の無線送受信手段に送信して、電気機器の電源を切るようにすることで、確実に省エネを図ることができる。
【００１０】
さらに、本発明の家庭用省電力システムは、人の在、不在を検知すると共に第１の無線送受信手段と第９の無線送受信手段を内蔵した不在センサ端末機器と、パソコンが接続されると共に前記第１の無線送受信手段と無線で交信する第２の無線送受信手段と前記パソコンの電源入切の制御を行う制御手段を有する電源入切機器アダプタと、前記パソコンをシャットダウンすると共に前記第９の無線送受信手段と無線で交信する第１０の無線送受信手段を内蔵したパソコン用機器アダプタとを備え、前記不在センサ端末機器が人の不在の検知した時に、前記パソコンをシャットダウンした後、前記制御手段で前記パソコンの電源を切るように制御するもので、パソコンなど、単にその電源コードへの通電、遮断だけで、動作させたり、正しく停止することができない電気機器の場合でも、支障なく電源の入り、切りを行って、省エネを図ることができる。
【００１１】
又、本発明の家庭用省電力システムは、人の在、不在を検知する不在センサ端末機器と、エアコンが接続されると共に外部から前記エアコンの空調温度の制御ができるエアコン用機器アダプタと、前記不在センサ端末機器に内蔵され前記エアコン用機器アダプタと無線で通信を行う第１１の無線送受信手段と、前記エアコン用機器アダプタに内蔵され前記不在センサ端末機器と無線で通信を行う第１２の無線送受信手段と、前記エアコンの空調温度の制御を行う温度制御手段とを備えたもので、不在センサ端末機器が人が在ることを検知すると、第１１の無線送受信手段から第１２の無線送受信手段へ在情報を送信し、エアコン用機器アダプタの温度制御手段により、エアコンの温度を設定温度にすることにより、エアコンの空調温度が必要以上に下がったり、上がったりすることがないので、省エネを図ることができる。
【００１２】
また、本発明の家庭用省電力システムは、室内の明るさを検知する照度センサ端末機器と、照明器具が接続されると共に前記照明器具の電源入切を制御する制御手段を有する電源入切機器アダプタと、前記照度センサ端末機器に内蔵され前記電源入切機器アダプタと無線で通信を行う第１３の無線送受信手段と、前記電源入切機器アダプタに内蔵され前記照度センサ端末機器と無線で通信を行う第１４の無線送受信手段を備えたもので、例えば、室内の明るさが、十分のときは、制御手段で照明器具の電源を切ったり、或いは、暗くするなどの制御をすることで、照明器具による消費電力を大幅に抑制することができる。
【発明の効果】
【００１３】
本発明の家庭用省電力システムは、一元管理された情報を発信する通信装置を介する必要がなく、安価な構成で、端末機器の情報があるだけで、電気機器を動かして省エネをおこなうことができる。
【発明を実施するための最良の形態】
【００１４】
第１の発明は、人の在及び不在を検知する不在センサ端末機器と、電気機器が接続されると共にその電気機器の電源入切の制御を行う制御手段を有する電源入切機器アダプタと、前記不在センサ端末機器に内蔵され前記電源入切機器アダプタと無線で通信を行う第１の無線送受信手段と、前記電源入切機器アダプタに内蔵され前記不在センサ端末機器と無線で通信を行う第２の無線送受信手段とを備え、前記不在センサ端末機器が、人の不在を検知すると前記第１の無線送受信手段で前記電源入切機器アダプタに送信し、それを前記第２の無線送受信手段で受信して、前記制御手段により、前記電気機器への電源を切るようにしたもので、一元管理された情報を発信する通信装置を介することなく、人が不在の時に、電気機器の電源を切り確実に省エネを行うことができる。
【００１５】
第２の発明は、特に、第１の発明の不在センサ端末機器に、第１の無線送受信手段から発信される電波の発信電力を調整する電力調整手段を備えたもので、例えば、第１の無線送受信手段から発信される電波の発信電力を、部屋内でのみ第２の無線送受信手段に到達する程度に下げておくと、不在センサ端末機器を持って使用者が、室外に出ると、第２の無線送受信手段に電波が届くなり、実質的に人がいないと判断され、人が不在の時に、電気機器の電源を確実に切り省エネを行うことができる。
【００１６】
第３の発明は、留守状態を設定する留守設定機能を有する留守設定端末機器と、電気機器が接続されると共にその電気機器の電源入切の制御を行う制御手段を有する電源入切機器アダプタと、前記留守設定端末機器に内蔵され前記電源入切機器アダプタと無線で通信を行う第３の無線送受信手段と、前記電源入切機器アダプタに内蔵され前記留守設定端末機器と無線で通信を行う第４の無線送受信手段とを備え、人が留守の時に、前記留守設定端末機器が、留守の信号を前記第３の無線送受信手段で前記電源入切機器アダプタに送信し、それを前記第４の無線送受信手段で受信して、前記制御手段により前記電気機器への電源を切るように制御するもので、人間が家を留守にするときに、電気機器への電源を切ることで、確実に省エネを図ることができる。
【００１７】
第４の発明は、インターネットや携帯電話等の家庭外へ接続する家庭外接続機器と、電気機器が接続される電源入切機器アダプタと、前記家庭外接続機器に設けられ前記電源入切機器アダプタと無線で通信を行う第５の無線送受信手段と、前記電源入切機器アダプタに設けられ前記家庭外接続機器と無線で通信を行う第６の無線送受信手段と、前記電源入切機器アダプタに設けられ前記家庭外接続機器からの情報により前記電気機器の電源の入切を制御する制御手段とを備えたもので、家庭外から携帯電話等で家庭内の電気機器の電源を必要に応じて入り切りすることで、確実に省エネを図ることができる。
【００１８】
第５の発明は、電気機器の使用した電力量を表示する電力量表示端末機器と、前記電気機器が接続されると共に前記電気機器の電源入切の機能を有する電源入切機器アダプタと、前記電力量表示端末機器に内蔵され前記電源入切機器アダプタと無線で通信を行う第７の無線送受信手段と、前記電源入切機器アダプタに内蔵され前記電力量表示端末機器と無線で通信を行う第８の無線送受信手段と、前記電源入切機器アダプタに内蔵され前記電気機器の電力消費量を定期的に測定する電力量測定手段とを備え、前記電力量表示端末機器に表示された前記電力量を参考に必要に応じて、前記第７の無線送受信手段より前記第８の無線送受信手段に送信して、前記電気機器の電源の入り切りができるようにしたもので、例えば、電力量表示端末機器に表示された電力量が予想以上に多い場合は、第７の無線送受信手段より第８の無線送受信手段に送信して、電気機器の電源を切るようにすることで、確実に省エネを図ることができる。
【００１９】
第６の発明は、人の在、不在を検知すると共に第１の無線送受信手段と第９の無線送受信手段を内蔵した不在センサ端末機器と、パソコンが接続されると共に前記第１の無線送受信手段と無線で交信する第２の無線送受信手段と前記パソコンの電源入切の制御を行う制御手段を有する電源入切機器アダプタと、前記パソコンをシャットダウンすると共に前記第９の無線送受信手段と無線で交信する第１０の無線送受信手段を内蔵したパソコン用機器アダプタとを備え、前記不在センサ端末機器が人の不在の検知した時に、前記パソコンをシャットダウンした後、前記制御手段で前記パソコンの電源を切るように制御するもので、パソコンなど、単にその電源コードへの通電、遮断だけで、動作させたり、正しく停止することができない電気機器の場合でも、支障なく電源の入り、切りを行って、省エネを図ることができる。
【００２０】
第７の発明は、人の在、不在を検知する不在センサ端末機器と、エアコンが接続されると共に外部から前記エアコンの空調温度の制御ができるエアコン用機器アダプタと、前記不在センサ端末機器に内蔵され前記エアコン用機器アダプタと無線で通信を行う第１１の無線送受信手段と、前記エアコン用機器アダプタに内蔵され前記不在センサ端末機器と無線で通信を行う第１２の無線送受信手段と、前記エアコンの空調温度の制御を行う温度制御手段とを備えたもので、不在センサ端末機器が人が在ることを検知すると、第１１の無線送受信手段から第１２の無線送受信手段へ在情報を送信し、エアコン用機器アダプタの温度制御手段により、エアコンの温度を設定温度にすることにより、エアコンの空調温度が必要以上に下がったり、上がったりすることがないので、省エネを図ることができる。
【００２１】
第８の発明は、室内の明るさを検知する照度センサ端末機器と、照明器具が接続されると共に前記照明器具の電源入切を制御する制御手段を有する電源入切機器アダプタと、前記照度センサ端末機器に内蔵され前記電源入切機器アダプタと無線で通信を行う第１３の無線送受信手段と、前記電源入切機器アダプタに内蔵され前記照度センサ端末機器と無線で通信を行う第１４の無線送受信手段を備えたもので、例えば、室内の明るさが、十分のときは、制御手段で照明器具の電源を切ったり、或いは、暗くするなどの制御をすることで、照明器具による消費電力を大幅に抑制することができる。
【００２２】
以下、本発明の実施の形態について、図面を参照しながら説明する。なお、この実施の形態によって本発明が限定されるものではない。
【００２３】
（実施の形態１）
図１は、本発明の実施の形態１における家庭用省電力システムを示すブロック図である。
【００２４】
本実施の形態における家庭用省電力システムは、図１に示すように、部屋の中に取り付けられ人の在及び不在を検知する不在センサ端末機器２０１と、部屋の中の例えば照明器具等の電気機器２０３が接続されると共に、その電気機器２０３と電源との間に介在して電気機器２０３の電源入切の機能を有する電源入切機器アダプタ２０２から構成されている。
【００２５】
不在センサ端末機器２０１の中には、電源入切機器アダプタ２０２と通信を無線で行う第１の無線送受信手段２０４が設けられ、電源入切機器アダプタ２０２の中には、不在センサ端末機器２０１と通信を無線で行う第２の無線送受信手段２０５と、人が不在の時には電源切り、人が在の時には電源入の制御を行う制御手段２０６とを備えた構成している。
【００２６】
上記構成における家庭用省電力システムの動作、作用は以下の通りである。
【００２７】
その部屋に人がいると、不在センサ端末機器２０１が、人が在ることを認識して、第１の無線送受信手段２０４で電源入切機器アダプタ２０２に信号を送る。電源入切機器アダプタ２０２の制御手段２０５により、接続された電気機器２０３へ通電する。
【００２８】
不在センサ端末機器２０１が人の不在を検知すると、第１の無線送受信手段２０４で電源入切機器アダプタ２０２に送信し、電源入切機器アダプタ２０２の中の第２の無線送受信手段２０５で受信して、制御手段２０５により、電源入切機器アダプタ２０２で電源切の制御を行い、家電機器２０３への通電が切られる。
【００２９】
以上のように、本実施の形態によれば、不在センサ端末機器２０１と電源入切機器アダプタ２０２の構成により、一元管理された情報を発信する高価な通信装置を介することなく、人が不在の時には、電気機器２０３の電源を切り省エネを確実に行うことができる。
【００３０】
（実施の形態２）
図２は、本発明の実施の形態２における家庭用省電力システムを示すブロック図である。なお、上記第１の実施の形態における家庭用省電力システムと同一部分については、同一符号を用いて、その説明を省略する。
【００３１】
本実施の形態における家庭用省電力システムは、不在センサ端末機器２０１を人間が持ち運びできるような形状にすると共に、図２に示すように、不在センサ端末機器２０１の中に、第１の無線送受信手段２０４の送信電力を調整する電力調整手段２０７を設けているもので、他の構成は、上記第１の実施の形態と同じである。なお、電気機器２０３及び電源入切機器アダプタ２０２は部屋に固定されている。
【００３２】
この状態で、不在センサ端末機器２０１は、第１の無線送受信手段２０４で電源入切機器アダプタ２０２の第２の無線送受信手段２０５に信号を送る。このとき、電力調整手段２０７により第１の無線送受信手段２０４の電波の出力電力を、部屋の中だけで電源入切機器アダプタ２０２の第２の無線送受信手段２０５に届くように小さくする。つまり、隣の部屋に移ったり、家の外に出たときには、電源入切機器アダプタ２０２に信号が届かない様に設定している。
【００３３】
上記構成による家庭用省電力システムの動作、作用は以下の通りである。
【００３４】
不在センサ端末機器２０１を身につけて、電気機器２０３及び電源入切機器アダプタ２０２が固定されている部屋に入ると、不在センサ端末機器２０１の第１の無線送受信手段２０４から送信される電波が、電源入切機器アダプタ２０２の第２の無線送受信手段２０５に届き、制御手段２０６から電源入切機器アダプタ２０２の電源が通電し、電気機器２０３がオンする。
【００３５】
逆に、不在センサ端末機器２０１を身につけて、電気機器２０３が設置された部屋から出ると、不在センサ端末機器２０１の第１の無線送受信手段２０４から送信される電波が、電源入切機器アダプタ２０２の第２の無線送受信手段２０５に届かず、制御手段２０６から電源入切機器アダプタ２０２の電源を切り、電気機器２０３がオフされる。
【００３６】
（実施の形態３）
図３は、本発明の実施の形態３における家庭用省電力システムを示すブロック図である。なお、上記第１の実施の形態における家庭用省電力システムと同一部分については、同一符号を用いて、その説明を省略する。
【００３７】
本実施の形態における家庭用省電力システムは、図３に示すように、留守状態を設定する留守設定機能を有する留守設定端末機器２０８と、留守設定端末機器２０８に内蔵され電源入切機器アダプタ２０２と無線で通信を行う第３の無線送受信手段２０９と、電源入切機器アダプタ２０２の中に内蔵され、留守設定端末機器２０８と無線で通信を行う第４の無線送受信手段２１０と、人が留守の時には電源切、在宅の時には電源入の制御を行う制御手段２０５とで構成されている。
【００３８】
上記構成により、人間が家を留守にするときに、留守設定端末機器２０８より、留守の信号を第３の無線送受信手段２０９から電源入切機器アダプタ２０２に送信する。すると、電源入切機器アダプタ２０２の中の第４の無線送受信手段２１０で、留守信号を受信して、制御手段２０６により電源入切機器アダプタ２０２で電源切の制御を行い、電気機器２０３への電源を切って確実に省エネを図ることができる。
【００３９】
（実施の形態４）
図４は、本発明の実施の形態４における家庭用省電力システムを示すブロック図である。なお、上記第１の実施の形態における家庭用省電力システムと同一部分については、同一符号を用いて、その説明を省略する。
【００４０】
本実施の形態における家庭用省電力システムは、図４に示すように、インターネットや携帯電話等の家庭外へ接続する家庭外接続機器２１１と、家庭外接続機器２１１に内蔵され電源入切機器アダプタ２０２と無線で通信を行う第５の無線送受信手段２１２と、電源入切機器アダプタ２０２に内蔵され家庭外接続機器２１１と無線で通信を行う第６の無線送受信手段２１３と、同じく電源入切機器アダプタ２０２に内蔵され家庭外接続機器２１１からの情報により電源入切機器アダプタ２０２の電源の入切を制御する制御手段２０６とから構成されている。
【００４１】
上記構成により、家庭外から携帯電話で家庭内の電気機器２０３に電源オンの信号を送信する。すると、その信号は、まず家庭外接続機器２１１に入り、第５の無線送受信手段２１２は、その信号を電源入切機器アダプタ２０２へ送信する。第６の無線送受信手段２１３がその信号を受信し、制御手段２０６により電源入切機器アダプタ２０２の電源をオンにすることにより、電源入切機器アダプタ２０２に接続された電気機器２０３がオンする。
【００４２】
又、本実施の形態によれば、外部よりインターネットや携帯電話等で、運転しっぱなしにされた電気機器２０３の電源を切ることができるので、確実に省エネを図ることができる。
【００４３】
（実施の形態５）
図５は、本発明の実施の形態５における家庭用省電力システムを示すブロック図である。なお、上記第１の実施の形態における家庭用省電力システムと同一部分については、同一符号を用いて、その説明を省略する。
【００４４】
本実施の形態における家庭用省電力システムは、図５に示すように、電気機器２０３が消費した電力量を表示する電力量表示端末機器２１４と、電源入・切の機能を有する電源入切機器アダプタ２０２と、電源入切機器アダプタ２０２に接続された電気機器２０３と、電力量表示端末機器２１４に内蔵され電源入切機器アダプタ２０２と通信を無線で行う第７の無線送受信手段２１５と、電源入切機器アダプタ２０２に内蔵され電力量表示端末機器２１４と通信を無線で行う第８の無線送受信手段２１６と、同じく電源入切機器アダプタ２０２に内蔵され接続された電気機器２０３の電力消費量を定期的に測定する電力量測定手段２１７から構成されている。
【００４５】
上記構成による家庭用省電力システムの動作、作用は以下の通りである。
【００４６】
電力量測定手段２１７によって定期的に測定された電気機器２０３の電力消費量の値が、第８の無線送受信手段２１６により、電力量表示端末機器２１４に送信される。電力量表示端末機器２１４に内蔵された第７の無線送受信手段２１５はその測定値を受信し、電力量表示端末機器２１４で電力量を表示する。そして、電力量表示端末機器２１４に表示された電力量が予想以上に多い場合は、第７の無線送受信手段２１５より第８の無線送受信手段２１６に送信して、電気機器２０３の電源を切るようにすることで、確実に省エネを図ることができる。
【００４７】
（実施の形態６）
図６は、本発明の実施の形態６における家庭用省電力システムを示すブロック図である。なお、上記第１の実施の形態における家庭用省電力システムと同一部分については、同一符号を用いて、その説明を省略する。
【００４８】
本実施の形態における家庭用省電力システムは、図６に示すように、人の在、不在を検知する不在センサ端末機器２０１と、電気機器の一つであるパソコン２０３ａと、パソコン２０３ａのプラグ２０３ｂが接続された電源入切機器アダプタ２０２と、パソコン２０３ａをシャットダウンするパソコン用機器アダプタ２１８と、不在センサ端末機器２０１に内蔵されパソコン用機器アダプタ２１８と通信を無線で行う第９の無線送受信手段２１９と、パソコン用機器アダプタ２１８に内蔵され不在センサの端末機器２０１と通信を無線で行う第１０の無線送受信手段２２０と、電源入切機器アダプタ２０２に内蔵され、人が不在の時は電源を切り、在室の時には電源入の制御を行う制御手段２０６から構成されている。
【００４９】
上記構成における家庭用省電力システムの動作は以下の通りである。
【００５０】
不在センサ端末機器２０１が、人の不在を検知すると、第９の無線送受信手段２１９から、パソコン用機器アダプタ２１８の第１０の無線送受信手段２２０へ不在情報を送信する。パソコン用機器アダプタ２１８は、パソコン２０３ａをシャットダウンする。
【００５１】
次に、少し時間遅れで、第１の無線送受信手段２０４から、電源入切機器アダプタ２０２の第２の無線送受信手段２０２へ不在情報を送信する。電源入切機器アダプタ２０２は制御手段２０６により、パソコン２０３ａへの通電をオフする。
【００５２】
不在センサ端末機器２０１が人が在ることを検知すると、第１の無線送受信手段２０４から、電源入切機器アダプタ２０２の第２の無線送受信手段２０２へ在情報を送信する。電源入切機器アダプタ２０２は制御手段２０６により、パソコン２０３ａへの通電をオンする。
【００５３】
次に少し遅れて、第９の無線送受信手段２１９から、パソコン用機器アダプタ２１８の第１０の無線送受信手段２２０へ在情報を送信し、それを受けてパソコン用機器アダプタ２１８がパソコン２０３ａをオン（起動）する。
【００５４】
この場合、第９の無線送受信手段２１９から、パソコン用機器アダプタ２１８の第１０の無線送受信手段２２０へ在情報を送信してパソコン２０３ａをオンさせず、人がパソコン２０３ａをオンするようにしても良い。
【００５５】
以上のように、本実施の形態によれば、パソコンなど、単にその電源コードへの通電、遮断だけで、動作させたり、正しく停止することができない電気機器の場合でも、支障なく電源の入り、切りを行って、省エネを図ることができる。
【００５６】
（実施の形態７）
図７は、本発明の実施の形態７における家庭用省電力システムを示すブロック図である。なお、上記実施の形態における家庭用省電力システムと同一部分については、同一符号を用いて、その説明を省略する。
【００５７】
本実施の形態における家庭用省電力システムは、図７に示すように、不在センサ端末機器２０１と、外部からエアコン２０３ｃによる空調温度の制御ができるエアコン用機器アダプタ２２１と、不在センサ端末機器２０１に内蔵されエアコン用機器アダプタ２２１と無線で通信を行う第１１の無線送受信手段２２２と、エアコン用機器アダプタ２２１に内蔵され不在センサ端末機器２０１と無線で通信を行う第１２の無線送受信手段２２３と、エアコン２０３ｃの空調温度制御を行う温度制御手段２２４から構成されている。
【００５８】
上記構成による家庭用省電力システムの動作、作用は以下の通りである。
【００５９】
不在センサ端末機器２０１が、人の不在を検知すると、第１１の無線送受信手段２２２から、エアコン用機器アダプタ２２１の第１２の無線送受信手段２２３へ不在情報を送信する。エアコン２０３ｃが冷房運転している場合は、エアコン用機器アダプタ２２１は、エアコン２０３ｃの空調温度制御を行う温度制御手段２２４により、エアコン２０３ｃによる空調温度を上げるようにして、人がいないにもかかわらず低い温度で冷房運転されるのを防止して、省エネを図ることができる。
【００６０】
以上のように本実施の形態によれば、不在センサ端末機器２０１ａが人が在ることを検知すると、第１１の無線送受信手段２２２から、エアコン用機器アダプタ２２１の第１２の無線送受信手段２２３へ在情報を送信し、エアコン用機器アダプタ２２１は、制御手段２０５により、エアコン２０３ｃの空調温度制御を行う温度制御手段２２４により、エアコン２０３ｃの温度を設定温度にする。
【００６１】
（実施の形態８）
図８は、本発明の実施の形態８における家庭用省電力システムを示すブロック図である。なお、上記実施の形態における家庭用省電力システムと同一部分については、同一符号を用いて、その説明を省略する。
【００６２】
本実施の形態における家庭用省電力システムは、図８に示すように、部屋の明るさを検知する照度センサ端末機器２２５と、電気機器の一つである照明器具２０３ｄと、照明器具２０３ｄの電源入・切の機能を有する電源入切機器アダプタ２０２と、照度センサ端末機器２２５に内蔵され電源入切機器アダプタ２０２と通信を無線で行う第１３の無線送受信手段２２６と、電源入切機器アダプタ２０２に内蔵され照度センサ端末機器２２５と通信を無線で行う第１４の無線送受信手段２２７とから構成されている。
【００６３】
上記構成による家庭用省電力システムの動作、作用以下の通りである。
【００６４】
照度センサ端末機器２２５が、部屋の明るさが「明るい」と判断した時は、第１３の無線送受信手段２２６から電源入切機器アダプタ２０２へ情報を送信する。電源入切機器アダプタ２０２の第１４の無線送受信手段２２７は、その「明るい」信号情報より、制御手段２０５による照明器具２０３ｄへの通電をオフする。
【００６５】
逆に、照度センサ端末機器２２５が、部屋の明るさが「暗い」と判断した時は、第１３の無線送受信手段２２６から電源入切機器アダプタ２０２へ情報を送信する。電源入切機器アダプタ２０２の第１４の無線送受信手段２２７は、その「暗い」信号情報より、制御手段２０５は、照明器具２０３ｄへの通電をオンする。
【００６６】
以上のように、本実施の形態によれば、部屋の明るさに応じて照明器具２０３ｄへの通電がオン、オフされるので、省エネ効果が大である。
【産業上の利用可能性】
【００６７】
本発明にかかる家庭用省電力システムは、一元管理された情報を発信する高価な通信装置を介する必要がなく、端末機器の情報があるだけで、電気機器を動かして省エネをおこなうことができるもので、家庭用の電気機器の省電力の技術等として有用である。
【図面の簡単な説明】
【００６８】
【図１】本発明の実施の形態１における家庭用省電力システムを示すブロック図
【図２】本発明の実施の形態２における家庭用省電力システムを示すブロック図
【図３】本発明の実施の形態３における家庭用省電力システムを示すブロック図
【図４】本発明の実施の形態４における家庭用省電力システムを示すブロック図
【図５】本発明の実施の形態５における家庭用省電力システムを示すブロック図
【図６】本発明の実施の形態６における家庭用省電力システムを示すブロック図
【図７】本発明の実施の形態７における家庭用省電力システムを示すブロック図
【図８】本発明の実施の形態８における家庭用省電力システムを示すブロック図
【図９】従来の家庭用省電力システムを示すブロック図
【符号の説明】
【００６９】
２０１  不在センサ端末機器
２０２  電源入切機器アダプタ
２０３  電気機器
２０４  第１の無線送受信手段
２０５  第２の無線送受信手段
２０６  制御手段
【図１】
2007124078.tif 000003
【図２】
2007124078.tif 000004
【図３】
2007124078.tif 000005
【図４】
2007124078.tif 000006
【図５】
2007124078.tif 000007
【図６】
2007124078.tif 000008
【図７】
2007124078.tif 000009
【図８】
2007124078.tif 000010
【図９】
2007124078.tif 000011